(57)【要約】【課題】高い精度で複数の送信点間のキャリブレーションを実現すること。【解決手段】送信制御装置は、メモリと、前記メモリに接続されたプロセッサとを有し、前記プロセッサは、それぞれ信号を無線送信する複数の送信点から、経路の起点となる基準送信点を選択し、選択された基準送信点から他の送信点までを接続する経路であって、無線品質が所定の基準を満たす送信点間に形成されるリンクからなる経路をそれぞれの送信点について複数生成し、生成された複数の経路に含まれるリンクを介して前記複数の送信点にキャリブレーション信号を送受信させ、キャリブレーション信号を用いたチャネル推定結果に基づいて、前記複数の送信点が備える送信回路及び受信回路の伝送特性の相違を校正するキャリブレーション係数を算出する処理を実行する。【選択図】図２
2018152767.tif 000002
【特許請求の範囲】
【請求項１】
メモリと、
前記メモリに接続されたプロセッサとを有し、
前記プロセッサは、
それぞれ信号を無線送信する複数の送信点から、経路の起点となる基準送信点を選択し、
選択された基準送信点から他の送信点までを接続する経路であって、無線品質が所定の基準を満たす送信点間に形成されるリンクからなる経路をそれぞれの送信点について複数生成し、
生成された複数の経路に含まれるリンクを介して前記複数の送信点にキャリブレーション信号を送受信させ、
キャリブレーション信号を用いたチャネル推定結果に基づいて、前記複数の送信点が備える送信回路及び受信回路の伝送特性の相違を校正するキャリブレーション係数を算出する
処理を実行することを特徴とする送信制御装置。
【請求項２】
前記生成する処理は、
前記複数の送信点それぞれについて前記基準送信点を起点とする１通りのデフォルト経路を生成し、
１つの送信点との間の無線品質が所定の基準を満たす隣接送信点のうち、前記１つの送信点との間のリンクが未形成の隣接送信点と前記１つの送信点との間にリンクを形成し、形成したリンクと前記隣接送信点のデフォルト経路とを接続して新たな経路を生成する
処理を含むことを特徴とする請求項１記載の送信制御装置。
【請求項３】
前記新たな経路を生成する処理は、
リンクの数が所定の上限値以下のデフォルト経路を有する隣接送信点と前記１つの送信点との間にリンクを形成することを特徴とする請求項２記載の送信制御装置。
【請求項４】
前記生成する処理は、
それぞれの送信点について、所定数以上の経路を生成することを特徴とする請求項１記載の送信制御装置。
【請求項５】
前記生成する処理は、
それぞれの送信点について、生成されたすべての経路に含まれるリンクの無線品質とリンクの数とに基づく合計品質が所定の目標品質を満たす数の経路を生成することを特徴とする請求項１記載の送信制御装置。
【請求項６】
前記算出する処理は、
生成された複数の経路それぞれに含まれるリンクの校正係数から経路ごとの係数を算出し、
算出された経路ごとの係数を平均又は加重平均することにより前記複数の送信点それぞれのキャリブレーション係数を算出する
処理を含むことを特徴とする請求項１記載の送信制御装置。
【請求項７】
送信制御装置と前記送信制御装置に接続された複数の送信点とを有する無線通信システムであって、
前記送信制御装置は、
メモリと、
前記メモリに接続されたプロセッサとを有し、
前記プロセッサは、
それぞれ信号を無線送信する複数の送信点から、経路の起点となる基準送信点を選択し、
選択された基準送信点から他の送信点までを接続する経路であって、無線品質が所定の基準を満たす送信点間に形成されるリンクからなる経路をそれぞれの送信点について複数生成する処理を実行し、
前記送信点は、
キャリブレーション信号に対して無線送信処理を実行し、前記生成する処理において生成された複数の経路に含まれるリンクを介して、無線送信処理後のキャリブレーション信号を送信する送信回路と、
前記生成する処理において生成された複数の経路に含まれるリンクを介して、キャリブレーション信号を受信し、受信したキャリブレーション信号に対して無線受信処理を実行する受信回路とを有する
ことを特徴とする無線通信システム。
【請求項８】
それぞれ信号を無線送信する複数の送信点から、経路の起点となる基準送信点を選択し、
選択された基準送信点から他の送信点までを接続する経路であって、無線品質が所定の基準を満たす送信点間に形成されるリンクからなる経路をそれぞれの送信点について複数生成し、
生成された複数の経路に含まれるリンクを介して前記複数の送信点にキャリブレーション信号を送受信させ、
キャリブレーション信号を用いたチャネル推定結果に基づいて、前記複数の送信点が備える送信回路及び受信回路の伝送特性の相違を校正するキャリブレーション係数を算出する
処理を有することを特徴とするキャリブレーション方法。
【発明の詳細な説明】
【技術分野】
【０００１】
本発明は、送信制御装置、無線通信システム及びキャリブレーション方法に関する。
【背景技術】
【０００２】
一般に、送受信が時分割で行われるＴＤＤ（Time  Division  Duplex）を採用する無線通信システムでは、上り回線（Uplink：以下「ＵＬ」と略記する）及び下り回線（Downlink：以下「ＤＬ」と略記する）において同一周波数帯の信号が送受信される。このため、無線チャネルの対称性により、ＵＬ及びＤＬの無線チャネルは同等であるとみなすことが可能である。この性質を利用して、例えば基地局装置は、ユーザ端末から送信されたＵＬの参照信号を用いてＵＬのチャネル推定を実行し、ＵＬのチャネル推定値をＤＬのチャネル推定値とみなして、ＤＬの信号のプリコーディングなどを実行する。
【０００３】
ところで、ＵＬ及びＤＬの無線チャネルは対称であり同等である一方、基地局装置及びユーザ端末などの各装置の送受信回路の伝送特性は異なっている。このため、例えば基地局装置がＵＬの参照信号から推定するＵＬのチャネル推定値は、実際のＤＬのチャネルを正確に示すものではない。
【０００４】
すなわち、例えばＵＬの信号は、ユーザ端末の送信回路を通過してＵＬの無線チャネルを経由し、基地局装置の受信回路を通過する。これに対して、ＤＬの信号は、基地局装置の送信回路を通過してＤＬの無線チャネルを経由し、ユーザ端末の受信回路を通過する。このため、基地局装置がチャネル推定するＵＬのチャネルは、ユーザ端末の送信回路及び基地局装置の受信回路を含む一方で、実際のＤＬのチャネルは、基地局装置の送信回路及びユーザ端末の受信回路を含む。そして、送信回路及び受信回路の伝送特性は、基地局装置とユーザ端末とで異なっているため、これらの送受信回路の伝送特性の相違によって、ＵＬ及びＤＬのチャネルは互いに相違する。
【０００５】
そこで、ＵＬのチャネル推定値から正確なＤＬのチャネル推定値を得るために、キャリブレーションが実行されることがある。キャリブレーションは、複数の送受信回路の伝送特性の相違を校正する処理であり、例えば試験信号を送受信することにより、複数のチャネルにおける位相回転及び振幅変動などの相対関係を求める。具体的に、例えば図９に示すように、送信回路Ｔ１及び受信回路Ｒ１を有する装置１と送信回路Ｔｋ及び受信回路Ｒｋを有する装置ｋとのキャリブレーションについて説明する。
【０００６】
図９に示す２つのアンテナ間で試験信号を送受信することにより、伝達関数Ｔ1で表される送信回路Ｔ１、無線チャネル及び伝達関数Ｒkで表される受信回路Ｒｋからなるチャネルのチャネル推定値ｈ1,kと、伝達関数Ｔkで表される送信回路Ｔｋ、無線チャネル及び伝達関数Ｒ1で表される受信回路Ｒ１からなるチャネルのチャネル推定値ｈk,1とが得られる。これらのチャネル推定値ｈ1,k、ｈk,1の比は、下記の式（１）で表される。
【数１】
2018152767.tif 000003
【０００７】
ただし、式（１）において、ｇ1,k及びｇk,1はそれぞれ無線チャネルの伝搬路値であり、両方向の送受信において同一の値とみなすことができる。式（１）から、装置１の送信回路Ｔ１及び受信回路Ｒ１に関する補正係数ｕ1を１と定義すると、装置ｋの送信回路Ｔｋ及び受信回路Ｒｋに関する補正係数ｕkは、下記の式（２）のようになる。
【数２】
2018152767.tif 000004
【０００８】
このようにして装置ｋの補正係数ｕkを求めておくことにより、例えば装置ｋから装置１へ送信された信号のチャネル推定値ｈk,1に補正係数ｕkを乗算すれば、装置１から装置ｋへ向かうチャネルの正確なチャネル推定値ｈ1,kが得られる。
【０００９】
キャリブレーションは、例えば複数の送信点（Transmission  Point：以下「ＴＰ」と略記する）が協調してユーザ端末へ信号を送信するＣｏＭＰ（Coordinated  Multi-Point  transmission）などにおいても実行される。複数のＴＰから信号が送信される場合には、各ＴＰの送受信回路の伝送特性の相違を校正するキャリブレーションが実行される。すなわち、例えばキャリブレーション対象の２つのＴＰそれぞれとユーザ端末との間で試験信号が送受信され、ＤＬのチャネル推定値がユーザ端末からフィードバックされることにより、２つのＴＰのキャリブレーションが実行される。このように、複数のＴＰからペアを形成し、各ペアについて順次キャリブレーションすることにより、無線通信システム全体のＴＰのキャリブレーションを実現することができる。
【先行技術文献】
【特許文献】
【００１０】
【特許文献１】国際公開第２００８／１４６４９４号
【特許文献２】特表２０１３−５１０４７３号公報
【発明の概要】
【発明が解決しようとする課題】
【００１１】
ところで、複数のＴＰからペアを形成し、各ペアについてキャリブレーションを実行することにより、任意のＴＰの組み合わせについてのキャリブレーションが可能となる。換言すれば、例えばＴＰ＃１及びＴＰ＃２のペアと、ＴＰ＃２及びＴＰ＃３のペアとのそれぞれについてキャリブレーションが実行されれば、ＴＰ＃１とＴＰ＃３の組み合わせについてもキャリブレーションが可能となる。すなわち、ＴＰ＃１とＴＰ＃３の組み合わせについては、ＴＰ＃２を介在させることにより、各ＴＰの送受信回路の伝送特性の相違を校正することができる。
【００１２】
したがって、複数のＴＰにおいて近接するＴＰ間にキャリブレーションのためのリンクを形成し、すべてのＴＰが途切れることなくリンクで接続されるようにすれば、直接リンクで接続されていない離れたＴＰ間のキャリブレーションも可能となる。これにより、複数のＴＰが協調して信号を送信する場合に、例えば１つのＴＰを基準として残りのすべてのＴＰのキャリブレーションをすることができる。
【００１３】
しかしながら、このようなＴＰ間のキャリブレーションでは、十分に良好な精度が得られないことがあるという問題がある。具体的には、近接するＴＰ間のリンクにおけるキャリブレーションで生じる誤差は微小であるが、離れたＴＰ間のキャリブレーションにおいて複数のＴＰが介在すると、各リンクでの誤差が蓄積され、誤差が大きくなるという問題がある。このため、１つのＴＰを基準としたキャリブレーションをする場合、基準のＴＰから離れたＴＰについては、介在するＴＰの数が多くなり、送受信回路の正確な補正係数を求めることが困難となる。
【００１４】
開示の技術は、かかる点に鑑みてなされたものであって、高い精度で複数の送信点間のキャリブレーションを実現することができる送信制御装置、無線通信システム及びキャリブレーション方法を提供することを目的とする。
【課題を解決するための手段】
【００１５】
本願が開示する送信制御装置は、１つの態様において、メモリと、前記メモリに接続されたプロセッサとを有し、前記プロセッサは、それぞれ信号を無線送信する複数の送信点から、経路の起点となる基準送信点を選択し、選択された基準送信点から他の送信点までを接続する経路であって、無線品質が所定の基準を満たす送信点間に形成されるリンクからなる経路をそれぞれの送信点について複数生成し、生成された複数の経路に含まれるリンクを介して前記複数の送信点にキャリブレーション信号を送受信させ、キャリブレーション信号を用いたチャネル推定結果に基づいて、前記複数の送信点が備える送信回路及び受信回路の伝送特性の相違を校正するキャリブレーション係数を算出する処理を実行する。
【発明の効果】
【００１６】
本願が開示する送信制御装置、無線通信システム及びキャリブレーション方法の１つの態様によれば、高い精度で複数の送信点間のキャリブレーションを実現することができるという効果を奏する。
【図面の簡単な説明】
【００１７】
【図１】図１は、実施の形態１に係る無線通信システムの構成を示す図である。
【図２】図２は、実施の形態１に係るベースバンド処理装置の構成を示すブロック図である。
【図３】図３は、隣接ＴＰテーブルの具体例を示す図である。
【図４】図４は、Ｌ値テーブルの具体例を示す図である。
【図５】図５は、実施の形態１に係るＤＬ送信方法を示すフロー図である。
【図６】図６は、デフォルト経路生成処理を示すフロー図である。
【図７】図７は、実施の形態１に係る経路生成処理を示すフロー図である。
【図８】図８は、実施の形態２に係る経路生成処理を示すフロー図である。
【図９】図９は、キャリブレーションを説明する図である。
【発明を実施するための形態】
【００１８】
以下、本願が開示する送信制御装置、無線通信システム及びキャリブレーション方法の実施の形態について、図面を参照して詳細に説明する。なお、この実施の形態により本発明が限定されるものではない。
【００１９】
（実施の形態１）
図１は、実施の形態１に係る無線通信システムの構成を示す図である。図１に示すように、無線通信システムは、ベースバンド処理装置１００と複数の送信点（ＴＰ）１１０とを有し、各ＴＰ１１０は、ベースバンド処理装置１００に接続されている。なお、図１では省略したが、他の複数のＴＰが他のベースバンド処理装置に接続されて配置されても良い。
【００２０】
ベースバンド処理装置１００は、図示しないユーザ端末に対して信号を送信する際に、複数のＴＰ１１０を協調させて信号を送信させる。すなわち、ベースバンド処理装置１００は、ユーザ端末宛てのベースバンド信号を生成し、プリコーディングをした上で、送信元のＴＰ１１０へベースバンド信号を送信する。このとき、ベースバンド処理装置１００は、ユーザ端末から各ＴＰ１１０へ向かう上り回線（ＵＬ）のチャネル推定値に基づいて各ＴＰ１１０からユーザ端末へ向かう下り回線（ＤＬ）のチャネル推定値を算出し、ＤＬのチャネル推定値からプリコーディング行列を生成する。
【００２１】
また、ベースバンド処理装置１００は、複数のＴＰ１１０による協調送信を実行するために、複数のＴＰ１１０のキャリブレーションを実行する。すなわち、ベースバンド処理装置１００は、自装置に接続された複数のＴＰ１１０からペアを形成し、形成したペアのＴＰ１１０間にキャリブレーション用のリンクを生成する。そして、ベースバンド処理装置１００は、リンクを介してキャリブレーション用の参照信号（以下「ＣＡＬ信号」という）を送受信させ、ＴＰ１１０間のキャリブレーションを実行する。
【００２２】
ベースバンド処理装置１００は、キャリブレーション用のリンクを生成する際、起点となる１つのＴＰからＳＩＲが基準を満たすＴＰをリンクで接続していくことにより、すべてのＴＰがリンクで接続された初期状態の経路（以下「デフォルト経路」という）を生成する。そして、ベースバンド処理装置１００は、デフォルト経路とは異なるリンクの接続によって起点のＴＰと各ＴＰとを接続する経路を生成し、それぞれのＴＰについて、起点のＴＰとの間に複数の経路を生成する。ベースバンド処理装置１００による経路生成については、後に詳述する。
【００２３】
ＴＰ１１０は、図示しないユーザ端末との間で無線通信する。すなわち、ＴＰ１１０は、ユーザ端末宛てのベースバンド信号をベースバンド処理装置１００から受信すると、このベースバンド信号に対して所定の無線送信処理を施し、アンテナを介して無線送信する。また、ＴＰ１１０は、ユーザ端末から無線送信された信号をアンテナを介して受信し、受信信号に対して所定の無線受信処理を施す。そして、ＴＰ１１０は、無線受信処理によって得られたベースバンド信号をベースバンド処理装置１００へ送信する。
【００２４】
ＴＰ１１０は、アンテナごとにそれぞれ送信回路及び受信回路を有している。送信回路は、例えばＤ／Ａ（Digital/Analog）変換及びアップコンバートなどの無線送信処理を実行し、受信回路は、例えばダウンコンバート及びＡ／Ｄ（Analog/Digital）変換などの無線受信処理を実行する。
【００２５】
これらのアンテナごとの送信回路及び受信回路は、異なる伝送特性を有するため、上述したように、ベースバンド処理装置１００によってキャリブレーションが実行される。キャリブレーション時には、送信回路は、ＣＡＬ信号に対して無線送信処理を実行し、ベースバンド処理装置１００によって生成されたリンクを介して、無線送信処理後のＣＡＬ信号を送信する。また、受信回路は、ベースバンド処理装置１００によって生成されたリンクを介して、ＣＡＬ信号を受信し、受信したＣＡＬ信号に対して無線受信処理を実行する。
【００２６】
なお、ＴＰ１１０が複数のアンテナを備える場合には、各ＴＰ１１０においてあらかじめ決定された基準アンテナ間のキャリブレーションが実行されても良い。この場合、それぞれのＴＰ１１０において、基準アンテナと他のアンテナとの間のキャリブレーションが実行されれば、すべてのＴＰ１１０間及びすべてのアンテナ間でのキャリブレーションが実行されたことになる。
【００２７】
図２は、実施の形態１に係るベースバンド処理装置１００の構成を示すブロック図である。図２に示すベースバンド処理装置１００は、送信インタフェース部（以下「送信Ｉ／Ｆ部」と略記する）２０１、受信インタフェース部（以下「受信Ｉ／Ｆ部」と略記する）２０２、プロセッサ２０３及びメモリ２０４を有する。
【００２８】
送信Ｉ／Ｆ部２０１は、複数のＴＰ１１０と接続し、プロセッサ２０３から出力される信号を各ＴＰ１１０へ送信する。
【００２９】
受信Ｉ／Ｆ部２０２は、複数のＴＰ１１０と接続し、各ＴＰ１１０から送信された信号を受信し、プロセッサ２０３へ出力する。
【００３０】
プロセッサ２０３は、例えばＣＰＵ（Central  Processing  Unit）、ＦＰＧＡ（Field  Programmable  Gate  Array）又はＤＳＰ（Digital  Signal  Processor）などを備え、メモリ２０４を利用して種々の処理を実行する。具体的には、プロセッサ２０３は、測定信号送信部２５０、測定信号受信部２５１、ＳＩＲ算出部２５２、経路生成部２５３、ＣＡＬ信号送信部２５４、ＣＡＬ信号受信部２５５、ＣＡＬ係数算出部２５６、ＵＬ信号受信部２５７、チャネル推定値補正部２５８及びＤＬ信号送信部２５９を有する。
【００３１】
測定信号送信部２５０は、ＴＰ１１０間のＳＩＲを測定するための既知の測定信号を各ＴＰ１１０から順番に送信させる。すなわち、測定信号送信部２５０は、送信Ｉ／Ｆ部２０１に接続されたＴＰ１１０から１つずつ順番に測定信号を送信させる。測定信号送信部２５０は、各ＴＰ１１０からの測定信号の送信を、例えば１日１回などの所定の周期で実行する。また、測定信号送信部２５０は、例えば後述するＣＡＬ信号受信部２５５によって受信されるＣＡＬ信号の平均受信レベルが所定の閾値未満になった場合に、各ＴＰ１１０からの測定信号の送信を実行しても良い。
【００３２】
測定信号受信部２５１は、ＴＰ１１０から順次送信され他のＴＰ１１０が受信した測定信号を受信する。すなわち、上述したように、ＴＰ１１０は１つずつ順番に測定信号を送信するため、各ＴＰ１１０は、自己以外のＴＰ１１０から送信された測定信号を受信する。なお、測定信号送信部２５０及び測定信号受信部２５１による測定信号の送受信は、例えばＴＤＤにおいてＤＬとＵＬが切り替わる境界に配置されるガードピリオド（Guard  Period：ＧＰ）を利用して実行されても良い。
【００３３】
ＳＩＲ算出部２５２は、測定信号受信部２５１によって受信された測定信号を用いて、ＴＰ１１０間の無線品質を測定する。具体的には、ＳＩＲ算出部２５２は、２つのＴＰ１１０の組み合わせごとに、両方向に送信された測定信号のＳＩＲをそれぞれ算出する。したがって、ＳＩＲ算出部２５２は、すべてのＴＰ１１０のペアについて、両方向のＳＩＲを算出する。
【００３４】
経路生成部２５３は、ＳＩＲ算出部２５２によって算出されたＳＩＲを用いて、キャリブレーションを実行するペアのＴＰ１１０間をリンクで接続する。すなわち、経路生成部２５３は、無線品質が所定の基準を満たすＴＰ１１０をペアに決定し、ペアとなるＴＰ１１０間をリンクによって接続する。具体的には、経路生成部２５３は、各ＴＰ１１０におけるＳＩＲに基づいて、まず互いに隣接するＴＰ１１０を特定し、それぞれのＴＰ１１０に隣接するＴＰ１１０の一覧を示す隣接ＴＰテーブルを生成する。すなわち、例えば図３に示すように、それぞれのＴＰ１１０ごとに、ＳＩＲが所定の基準を満たす隣接ＴＰを対応付けて記憶する隣接ＴＰテーブルを生成する。図３に示す例では、例えばＴＰ＃１との間でＳＩＲが所定の基準を満たす隣接ＴＰとして、ＴＰ＃２、ＴＰ＃３、ＴＰ＃４、ＴＰ＃８、ＴＰ＃９の５つのＴＰが挙げられる。
【００３５】
そして、経路生成部２５３は、起点となるＴＰ１１０から順に隣接ＴＰをリンクで接続していき、それぞれのＴＰ１１０に関する起点のＴＰ１１０との間のデフォルト経路を生成する。このとき、経路生成部２５３は、起点のＴＰ１１０からそれぞれのＴＰ１１０までの間で経由するＴＰ１１０の数を示すＬ値を各ＴＰ１１０に設定し、ＴＰ１１０のＬ値を一覧できるＬ値テーブルを生成する。すなわち、例えば図４に示すように、Ｌ値の値ごとに該当するＴＰ１１０を対応付けて記憶するＬ値テーブルを生成する。図４に示す例では、Ｌ値が０のＴＰ１１０として、起点となるＴＰ＃１と直接リンクで接続されるＴＰ＃２、ＴＰ＃３、ＴＰ＃４、ＴＰ＃８、ＴＰ＃９が挙げられ、Ｌ値が１のＴＰ１１０として、Ｌ値が０のいずれかのＴＰ１１０とリンクで接続されるＴＰ＃５、ＴＰ＃６、ＴＰ＃７が挙げられる。つまり、Ｌ値は、各ＴＰ１１０から起点のＴＰ１１０までを隣接ＴＰを辿って最短で接続した場合に、間に経由するＴＰ１１０の数を示す。したがって、Ｌ値が大きいＴＰ１１０ほど、起点のＴＰ１１０から離れたＴＰ１１０であるといえる。
【００３６】
経路生成部２５３は、デフォルト経路が生成されると、それぞれのＴＰ１１０について、デフォルト経路とは異なる他の経路を生成する。換言すれば、経路生成部２５３は、各ＴＰ１１０について、起点のＴＰ１１０との間にデフォルト経路を含む複数の経路を生成する。このとき、経路生成部２５３は、ＴＰ１１０を１つずつ選択し、選択ＴＰの隣接ＴＰのうち、選択ＴＰに未接続の隣接ＴＰを選択ＴＰとリンクによって接続し、このリンクと隣接ＴＰのデフォルト経路とからなる新たな経路を生成する。経路生成部２５３は、選択ＴＰと隣接ＴＰをリンクによって接続する際、選択ＴＰのＬ値よりも１小さいＬ値か選択ＴＰのＬ値以上のＬ値を有する隣接ＴＰを選択ＴＰと接続する。このようにして、経路生成部２５３は、各ＴＰ１１０について、起点のＴＰ１１０との間で複数の経路を生成する。
【００３７】
ＣＡＬ信号送信部２５４は、経路生成部２５３によって生成されたすべての経路に含まれるリンクを介して各ＴＰ１１０からＣＡＬ信号を送信させる。すなわち、１つのＴＰ１１０について、起点のＴＰ１１０からの複数の経路が生成されているため、ＣＡＬ信号送信部２５４は、すべての経路に含まれるリンクで接続されたＴＰ１１０間でＣＡＬ信号を送信させる。このとき、ＣＡＬ信号送信部２５４は、複数のＴＰ１１０から同時にＣＡＬ信号を送信させても良い。この場合には、ＣＡＬ信号送信部２５４は、各ＴＰ１１０から送信されるＣＡＬ信号として、互いに直交する系列を用いる。
【００３８】
ＣＡＬ信号受信部２５５は、経路生成部２５３によって生成されたすべての経路に含まれるリンクを介して各ＴＰ１１０に受信されたＣＡＬ信号を受信する。
【００３９】
ＣＡＬ係数算出部２５６は、ＣＡＬ信号受信部２５５によって受信されたＣＡＬ信号を用いてチャネル推定を実行し、各ＴＰ１１０の送信回路及び受信回路の伝送特性の相違を校正するキャリブレーション係数（以下「ＣＡＬ係数」と略記する）を算出する。具体的には、ＣＡＬ係数算出部２５６は、まず、以下のようにリンクごとの校正係数を算出する。
【００４０】
すなわち、リンクで接続されたＴＰ＃ｍ（ｍは整数）からＴＰ＃ｎ（ｎは整数、ｎ≠ｍ）へ信号を送信する場合のチャネル推定値ｈTP(m,n)と、逆方向に信号を送信する場合のチャネル推定値ｈTP(n,m)とは、それぞれ以下のように表される。
ｈTP(m,n)＝Ｒn・ｇTP(m,n)・Ｔm
ｈTP(n,m)＝Ｒm・ｇTP(n,m)・Ｔn
【００４１】
ただし、ｇTP(m,n)及びｇTP(n,m)はそれぞれ無線チャネルの伝搬路値であり、両方向の送受信において同一の値とみなすことができる。また、Ｔm及びＲmはＴＰ＃ｍの送信回路及び受信回路の伝達関数であり、Ｔn及びＲnはＴＰ＃ｎの送信回路及び受信回路の伝達関数である。これらのチャネル推定値は、ＣＡＬ信号受信部２５５によって受信されたＣＡＬ信号に対するチャネル推定を実行することにより求められる。そして、以下の式（３）のように、チャネル推定値の比が、直接リンクで接続されたＴＰ＃ｍとＴＰ＃ｎの間の校正係数ｃm,nとして算出される。
【数３】
2018152767.tif 000005
【００４２】
このようにリンクごとの校正係数ｃm,nを算出した後、ＣＡＬ係数算出部２５６は、ＴＰ１１０ごとに、起点のＴＰ１１０との間のＣＡＬ係数を複数の経路に基づいて算出する。ここでは、複数の経路に基づくＣＡＬ係数の算出について、２通りの算出方法を説明する。
【００４３】
１つ目の算出方法では、あるＴＰ１１０までの経路ごとの係数の平均値をこのＴＰ１１０のＣＡＬ係数とする。すなわち、起点のＴＰ１１０をＴＰ＃１とした場合、ＴＰ＃ｋまでの経路の係数は、この経路に含まれるリンクの校正係数の積で表される。例えば、ＴＰ＃１からＴＰ＃ｋまでの経路ｒがＴＰ＃２、ＴＰ＃３を経由している場合には、この経路ｒの係数ｃ(r,tp#k)は、以下の式（４）によって表される。
ｃ(r,tp#k)＝ｃ1,2・ｃ2,3・ｃ3,k  ・・・（４）
【００４４】
そこで、下記の式（５）のように、起点のＴＰ１１０からＴＰ＃ｋまでの経路数がＮroute(tp#k)である場合、経路ごとの係数ｃ(r,tp#k)の平均値を算出し、ＴＰ＃ｋのＣＡＬ係数ｃ(tp#k)を算出することができる。
【数４】
2018152767.tif 000006
【００４５】
次に、２つ目の算出方法では、各リンクにおけるＳＩＲに基づいて経路ごとの品質を求め、経路ごとの係数を品質によって加重平均することによりＴＰ１１０のＣＡＬ係数を算出する。リンクｌのＳＩＲをγ(l)とすると、経路ｒの品質Γ(r)を例えば以下の式（６）のように定義することができる。
【数５】
2018152767.tif 000007
【００４６】
すなわち、各経路の品質は、経路に含まれるリンクのＳＩＲの逆数の和の逆数とすることができる。上式（６）に示す経路の品質は、経路に含まれるリンクのＳＩＲが良好であるほど良好になるとともに、経路に含まれるリンクの数が少ないほど良好になる。このような経路ｒの品質Γ(r)を用いることにより、ＴＰ＃ｋのＣＡＬ係数ｃ(tp#k)を以下の式（７）によって算出することができる。
【数６】
2018152767.tif 000008
【００４７】
このように、ＣＡＬ係数算出部２５６は、上述した２つの算出方法のいずれかによって、それぞれのＴＰ１１０について起点のＴＰ１１０との間のＣＡＬ係数を算出する。それぞれのＴＰ１１０のＣＡＬ係数の算出においては、複数の経路によってＣＡＬ信号を送受信して得られたチャネル推定値が用いられるため、経路ごとのランダムな誤差が相殺され、ＣＡＬ係数の精度を向上させることができる。
【００４８】
ＵＬ信号受信部２５７は、ユーザ端末から送信されて各ＴＰ１１０によって受信されたＵＬ信号を受信する。そして、ＵＬ信号受信部２５７は、ＵＬ信号を用いて、ユーザ端末と各ＴＰ１１０の間のチャネル推定値を算出する。
【００４９】
チャネル推定値補正部２５８は、ＵＬ信号受信部２５７によって算出されたチャネル推定値を、ＣＡＬ係数算出部２５６によって算出されたＣＡＬ係数によって補正する。すなわち、チャネル推定値補正部２５８は、ＵＬ信号受信部２５７によって算出されたＵＬのチャネル推定値をＣＡＬ係数によって補正することにより、ＤＬのチャネル推定値を得る。
【００５０】
ＤＬ信号送信部２５９は、チャネル推定値補正部２５８によって得られたＤＬのチャネル推定値を用いて、ユーザ端末を送信先とするＤＬ信号を送信する。具体的には、ＤＬ信号送信部２５９は、ＤＬのチャネル推定値を用いてＤＬ信号のプリコーディング行列を生成し、ＤＬ信号をプリコーディングした上で各ＴＰ１１０へ送信する。これにより、ＤＬ信号は、各ＴＰ１１０から適切な送信ウェイトで送信され、ユーザ端末における干渉を低減することが可能となる。
【００５１】
次いで、上記のように構成されたベースバンド処理装置１００によるＤＬ信号の送信方法について、図５に示すフロー図を参照しながら説明する。
【００５２】
例えば１日に１回などの所定の周期が到来した際やＣＡＬ信号の平均受信レベルが所定の閾値未満になった際には、キャリブレーション用の経路を生成するために既知の測定信号がＴＰ１１０間で送受信される（ステップＳ１０１）。具体的には、測定信号送信部２５０によって、１つのＴＰ１１０からの測定信号の送信が順次指示され、他のＴＰ１１０によって受信された測定信号が測定信号受信部２５１によって受信される。測定信号の送受信は、例えばＤＬ及びＵＬのいずれの信号も送受信されないＧＰを利用して実行されても良い。
【００５３】
そして、測定信号受信部２５１によって受信された測定信号が用いられることにより、ＴＰ１１０間のＳＩＲが算出される（ステップＳ１０２）。すなわち、すべてのＴＰ１１０のペアごとに測定信号が送受信されているため、ＳＩＲ算出部２５２によって、各ペアのＴＰ１１０間のＳＩＲが算出される。すべてのペアについてＳＩＲが算出されると、経路生成部２５３によって、起点のＴＰ１１０と各ＴＰ１１０とを１又は複数のリンクで接続するデフォルト経路が生成される（ステップＳ１０３）。デフォルト経路が生成される過程では、各ＴＰ１１０の隣接関係を示す隣接ＴＰテーブルが生成されるとともに、各ＴＰ１１０のＬ値を示すＬ値テーブルが生成される。デフォルト経路生成処理については、後に詳述する。
【００５４】
すべてのＴＰ１１０についてデフォルト経路が生成されると、経路生成部２５３によって、それぞれのＴＰ１１０についてデフォルト経路とは異なる経路が生成される。すなわち、すべてのＴＰ１１０について、キャリブレーションのための複数の経路が生成される（ステップＳ１０４）。経路生成処理については、後に詳述する。
【００５５】
キャリブレーションのための複数の経路が生成されると、すべての経路に含まれるリンクによって接続されたＴＰ１１０間でＣＡＬ信号が送受信される（ステップＳ１０５）。具体的には、ＣＡＬ信号送信部２５４によって、いずれかのＴＰ１１０からのＣＡＬ信号の送信が順次指示され、他のＴＰ１１０によって受信されたＣＡＬ信号がＣＡＬ信号受信部２５５によって受信される。
【００５６】
ＣＡＬ信号が送受信されると、ＣＡＬ係数算出部２５６によってＣＡＬ信号を用いたチャネル推定が実行され、各ＴＰ１１０間のチャネル推定値に基づいて、各ＴＰ１１０の送信回路及び受信回路の伝送特性の相違を校正するＣＡＬ係数が算出される（ステップＳ１０６）。具体的には、ＣＡＬ係数算出部２５６によって、例えばリンクごとの校正係数が算出された後、上述した２つの算出方法により、式（５）又は式（７）に示したＴＰ１１０ごとのＣＡＬ係数が算出される。
【００５７】
このように、ＴＰ１１０ごとのＣＡＬ係数を算出するキャリブレーションが実行されることにより、ＵＬのチャネル行列をＤＬのチャネル行列に補正することが可能となる。そこで、ユーザ端末からＵＬの信号が送信されると、この信号はユーザ端末の通信相手のＴＰ１１０によって受信され、ベースバンド処理装置１００へ送信される。そして、ＵＬ信号は、ＵＬ信号受信部２５７によって受信され（ステップＳ１０７）、ＵＬのチャネル推定が実行される（ステップＳ１０８）。すなわち、ＵＬ信号受信部２５７によって、ユーザ端末とＴＰ１１０の間のＵＬのチャネル推定値が求められる。
【００５８】
求められたＵＬのチャネル推定値は、チャネル推定値補正部２５８へ出力され、チャネル推定値補正部２５８によってチャネル推定値が補正されることにより（ステップＳ１０９）、ＤＬのチャネル推定値が得られる。そして、ＤＬのチャネル推定値がＤＬ信号送信部２５９へ出力され、ＤＬ信号送信部２５９によって、ＤＬの信号に送信ウェイトを適用するためのプリコーディング行列が生成される（ステップＳ１１０）。このとき、ＤＬ信号送信部２５９は、チャネル推定値補正部２５８によって補正されたチャネル推定値を用いてプリコーディング行列を生成する。
【００５９】
そして、ユーザ端末宛てのＤＬの信号がプリコーディング行列を用いてプリコーディングされ、送信Ｉ／Ｆ部２０１からそれぞれのＴＰ１１０へ送信される（ステップＳ１１１）。ＤＬの信号は、各ＴＰ１１０からユーザ端末へ無線送信される。このように、ＵＬのチャネル推定値を補正して得られたＤＬのチャネル推定値からプリコーディング行列を求めてＤＬの信号をプリコーディングするため、ユーザ端末におけるＤＬの信号の受信特性を向上することができる。
【００６０】
次に、デフォルト経路生成処理について、図６に示すフロー図を参照しながら説明する。以下のデフォルト経路生成処理は、経路生成部２５３によって、ＳＩＲ算出部２５２によって算出されたＳＩＲが用いられることにより実行される。
【００６１】
デフォルト経路生成処理においては、まず複数のＴＰ１１０の中から起点となるＴＰ１１０が選択される。起点のＴＰ１１０の選択にあたっては、例えばベースバンド処理装置１００に接続されたすべてのＴＰ１１０のうち、地理的に中央付近に配置されたＴＰ１１０が選択されても良い。起点のＴＰ１１０は、各ＴＰ１１０までのデフォルト経路を含むすべての経路の起点となるとともに、キャリブレーションの基準のＴＰ１１０にもなる。
【００６２】
起点のＴＰ１１０が選択されると、ＳＩＲ算出部２５２によって算出されたＴＰ１１０間のＳＩＲに基づいて、隣接ＴＰテーブルが生成される。すなわち、ＳＩＲが所定の基準を満たすＴＰ１１０のペアを互いに隣接ＴＰとして、各ＴＰ１１０の隣接ＴＰが隣接ＴＰテーブルに記憶される。このような隣接ＴＰテーブルが生成されると、変数ｋが初期値の０に設定され（ステップＳ２０１）、Ｌ値がｋのＴＰ１１０が１つ選択される（ステップＳ２０２）。すなわち、ここではｋが０であるため、Ｌ値が０のＴＰ１１０として、起点のＴＰ１１０の隣接ＴＰが１つ選択される。なお、起点のＴＰ１１０の隣接ＴＰは、すべてが起点のＴＰ１１０と直接リンクによって接続される。また、これらの隣接ＴＰは、Ｌ値が０であるという条件を満たすため、Ｌ値が０のＴＰ１１０としてＬ値テーブルに登録されても良い。
【００６３】
そして、選択ＴＰとの間の各ＴＰ１１０のＳＩＲが参照され、ＳＩＲが所定の基準を満たすＴＰ１１０が検索される（ステップＳ２０３）。すなわち、隣接ＴＰテーブルにおいて選択ＴＰの隣接ＴＰが検索され、起点のＴＰ１１０以外の隣接ＴＰが存在するか否かが判断される（ステップＳ２０４）。
【００６４】
この判断の結果、起点のＴＰ１１０以外に隣接ＴＰが存在する場合には（ステップＳ２０４Ｙｅｓ）、隣接ＴＰのうち他のＴＰ１１０と接続されていないＴＰ１１０が選択ＴＰとリンクによって接続される（ステップＳ２０５）。すなわち、選択ＴＰの隣接ＴＰであっても、既に他のＴＰ１１０とリンクによって接続されている隣接ＴＰは除外され、他のＴＰ１１０と未接続の隣接ＴＰが選択ＴＰに接続される。これにより、起点のＴＰ１１０から選択ＴＰの隣接ＴＰまでを接続する１通りのデフォルト経路が生成されることになる。
【００６５】
また、選択ＴＰとリンクによって接続された隣接ＴＰのＬ値がｋ＋１（ここでは１）に設定され（ステップＳ２０６）、これらの隣接ＴＰは、Ｌ値がｋ＋１のＴＰ１１０としてＬ値テーブルに登録される。
【００６６】
そして、選択ＴＰと隣接ＴＰがリンクによって接続された場合、又はステップＳ２０４の判断の結果、選択ＴＰの隣接ＴＰが存在しない場合には（ステップＳ２０４Ｎｏ）、Ｌ値がｋ（ここでは０）のまだ選択されていないＴＰ１１０があるか否かが判断される（ステップＳ２０７）。Ｌ値がｋの未選択のＴＰ１１０がある場合には（ステップＳ２０７Ｙｅｓ）、該当するＴＰ１１０が再度１つ選択され、上述したデフォルト経路を生成する処理が繰り返される（ステップＳ２０２〜Ｓ２０６）。
【００６７】
そして、Ｌ値がｋのＴＰ１１０がすべて選択され、Ｌ値がｋのＴＰ１１０とその隣接ＴＰとのリンクによる接続が完了すると（ステップＳ２０７Ｎｏ）、無線通信システム内のすべてのＴＰ１１０にＬ値が設定されたか否かが判定される（ステップＳ２０８）。判定の結果、無線通信システム内のすべてのＴＰ１１０のＬ値が設定済みであれば（ステップＳ２０８Ｙｅｓ）、起点のＴＰ１１０からすべてのＴＰ１１０までのデフォルト経路が生成されたことになり、すべてのＴＰ１１０のＬ値がＬ値テーブルに登録されたこととなる。したがって、デフォルト経路生成処理は終了する。
【００６８】
一方、まだＬ値が設定されていないＴＰ１１０がある場合には（ステップＳ２０８Ｎｏ）、変数ｋが１インクリメントされ（ステップＳ２０９）、Ｌ値がｋのＴＰ１１０が１つ選択される（ステップＳ２０２）。すなわち、Ｌ値テーブルが参照されることにより、Ｌ値がｋのＴＰ１１０として登録されたＴＰ１１０が１つ選択される。その後、上記と同様に、Ｌ値がｋのＴＰ１１０が１つずつ選択されながら、選択ＴＰと隣接ＴＰとがリンクによって接続され、起点のＴＰ１１０から各ＴＰ１１０までのデフォルト経路が生成される（ステップＳ２０３〜Ｓ２０７）。
【００６９】
これにより、無線通信システム内のすべてのＴＰ１１０について、起点のＴＰ１１０から１通りのデフォルト経路が生成される。それぞれのＴＰ１１０についてのデフォルト経路は、ＳＩＲが所定の基準を満たすＴＰ１１０間のリンクから構成されている。
【００７０】
次に、デフォルト経路が生成された後の経路生成処理について、図７に示すフロー図を参照しながら説明する。以下の経路生成処理は、経路生成部２５３によって実行される。なお、経路生成処理が実行される際には、既に隣接ＴＰテーブル及びＬ値テーブルが完成している。
【００７１】
まず、経路生成処理の対象となるＴＰ１１０が１つ選択される（ステップＳ３０１）。ここで選択されるＴＰ１１０のＬ値はＬselであるものとする。なお、起点のＴＰ１１０の隣接ＴＰについては、起点のＴＰ１１０と直接リンクによって接続されているため、このリンクを介してＣＡＬ信号を送受信することにより、十分に精度が良好なキャリブレーションが可能であると考えられる。そこで、Ｌ値が０である起点のＴＰ１１０の隣接ＴＰについては、経路生成処理の対象から除外しても良い。すなわち、Ｌselは１以上の値としても良い。
【００７２】
１つのＴＰ１１０が選択されると、変数Ｌ１がＬselより１小さい値に設定される（ステップＳ３０２）。そして、隣接ＴＰテーブル及びＬ値テーブルが参照され、選択ＴＰの隣接ＴＰの中からＬ値がＬ１のＴＰ１１０が検索される（ステップＳ３０３）。すなわち、ここでは選択ＴＰよりもリンク１つ分だけ起点のＴＰ１１０に近いＴＰ１１０が検索され、該当するＴＰ１１０が選択ＴＰの隣接ＴＰの中に存在するか否かが判断される（ステップＳ３０４）。
【００７３】
この判断の結果、隣接ＴＰの中にＬ値がＬ１のＴＰ１１０が存在する場合には（ステップＳ３０４Ｙｅｓ）、条件を満たすＴＰ１１０のうち選択ＴＰに未接続のＴＰ１１０と選択ＴＰとがリンクによって接続される。これにより、選択ＴＰとＬ値がＬ１のＴＰ１１０との間に新たにリンクが生成され、このリンクとＬ値がＬ１のＴＰ１１０のデフォルト経路とから構成される新たな経路が生成される（ステップＳ３０５）。
【００７４】
選択ＴＰについての新たな経路が生成されると、起点のＴＰ１１０から選択ＴＰまでの経路数が所定数以上となったか否かが判定される（ステップＳ３０６）。そして、経路数が所定数未満である場合（ステップＳ３０６Ｎｏ）、又はステップＳ３０４の判断の結果、選択ＴＰの隣接ＴＰの中にＬ値がＬ１のＴＰ１１０が存在しない場合には（ステップＳ３０４Ｎｏ）、Ｌ１が所定の上限値に到達しているか否かが判断される（ステップＳ３０７）。すなわち、選択ＴＰとの間で新たにリンクが生成される隣接ＴＰのＬ値には所定の上限値が設けられており、Ｌ１がこの上限値に到達しているか否かが判断される。上限値は、固定の値ではなく例えば選択ＴＰのＬ値（Ｌsel）を基準とした値に設定される。具体的には、例えばＬselよりも１大きい値が上限値に設定される。
【００７５】
Ｌ１が上限値に到達していない場合には（ステップＳ３０７Ｎｏ）、Ｌ１が１インクリメントされ（ステップＳ３０８）、選択ＴＰの隣接ＴＰの中からＬ値がＬ１のＴＰ１１０が検索される（ステップＳ３０３）。以後、上述した新たな経路を生成する処理が繰り返される（ステップＳ３０４〜Ｓ３０７）。
【００７６】
そして、選択ＴＰについての経路数が所定数以上になるか（ステップＳ３０６Ｙｅｓ）、又はＬ１が上限値に到達すると（ステップＳ３０７Ｙｅｓ）、すべてのＴＰ１１０についてデフォルト経路以外の新たな経路が生成されたか否かが判断される（ステップＳ３０９）。デフォルト経路以外の新たな経路が生成されていないＴＰ１１０がある場合には（ステップＳ３０９Ｎｏ）、該当するＴＰ１１０が１つ選択され、上記と同様に新たな経路が生成される（ステップＳ３０１〜Ｓ３０８）。一方、すべてのＴＰ１１０について新たな経路が生成された場合には（ステップＳ３０９Ｙｅｓ）、すべてのＴＰ１１０について、デフォルト経路を含む複数の経路が生成されたことになる。
【００７７】
これらの複数の経路にはそれぞれ１又は複数のリンクが含まれており、各リンクを介してＣＡＬ信号が送受信されることにより、リンクごとの校正係数が算出される。各経路の係数は、経路に含まれるリンクの校正係数の積として表されるため、経路に含まれるリンクの数が多い場合には、各リンクにおける校正係数の誤差が蓄積し、経路の係数の精度が低下する。そこで、複数の経路の係数に基づいて、例えば上式（５）、（７）により起点のＴＰ１１０と各ＴＰ１１０との間のＣＡＬ係数を算出することで、各経路の係数の誤差が相殺され、それぞれのＴＰ１１０について正確なＣＡＬ係数を算出することができる。
【００７８】
以上のように、本実施の形態によれば、ＳＩＲが所定の基準を満たすＴＰ間をリンクによって接続することにより、起点のＴＰから各ＴＰまでのデフォルト経路を生成する。その後、各ＴＰと未接続の隣接ＴＰとを接続して、デフォルト経路とは異なる新たな経路を経路数が所定数以上となるまで生成する。そして、各ＴＰについて、デフォルト経路を含む複数の経路におけるＣＡＬ信号の送受信結果から、ＣＡＬ係数を算出する。このため、各経路における係数に生じている誤差が互いに相殺され、高い精度で複数の送信点間のキャリブレーションを実現することができる。また、それぞれの送信点について所定数以上の複数の経路が生成されるため、すべての送信点についてキャリブレーションの精度を高めることができる。
【００７９】
（実施の形態２）
実施の形態２の特徴は、それぞれのＴＰについて、経路の品質の合計が目標品質を満たすように、起点のＴＰから各ＴＰまでの複数の経路を生成する点である。
【００８０】
実施の形態２に係る無線通信システム及びベースバンド処理装置１００の構成は、実施の形態１（図１、２）と同様であるため、その説明を省略する。実施の形態２においては、経路生成部２５３による経路生成処理が実施の形態１とは異なる。
【００８１】
図８は、実施の形態２に係る経路生成処理を示すフロー図である。図８において、図７と同じ部分には同じ符号を付し、その詳しい説明を省略する。図８に示す経路生成処理は、実施の形態１と同様のデフォルト経路生成処理が実行された後に、経路生成部２５３によって実行される。なお、経路生成処理が実行される際には、既に隣接ＴＰテーブル及びＬ値テーブルが完成している。
【００８２】
まず、経路生成処理の対象となるＴＰ１１０が１つ選択される（ステップＳ３０１）。ここで選択されるＴＰ１１０のＬ値はＬselであるものとする。１つのＴＰ１１０が選択されると、変数Ｌ１がＬselより１小さい値に設定される（ステップＳ３０２）。そして、隣接ＴＰテーブル及びＬ値テーブルが参照され、選択ＴＰの隣接ＴＰの中からＬ値がＬ１のＴＰ１１０が検索される（ステップＳ３０３、Ｓ３０４）。
【００８３】
検索の結果、隣接ＴＰの中にＬ値がＬ１のＴＰ１１０が存在する場合には（ステップＳ３０４Ｙｅｓ）、条件を満たすＴＰ１１０のうち選択ＴＰに未接続のＴＰ１１０と選択ＴＰとがリンクによって接続される。これにより、新たなリンクとＬ値がＬ１のＴＰ１１０のデフォルト経路とから構成される新たな経路が生成される（ステップＳ３０５）。
【００８４】
選択ＴＰについての新たな経路が生成されると、デフォルト経路を含めて生成済みの経路すべての品質を総合した合計品質が算出される（ステップＳ４０１）。合計品質は、各経路に含まれるリンクの数とそれぞれのリンクのＳＩＲとを反映する品質であり、生成済みの経路によってキャリブレーションを実行する場合に期待される精度を示す。具体的には、上式（６）に示した経路ｒの品質Γ（ｒ）を用いて、以下の式（８）によってＴＰ＃ｋの合計品質Γ’(tp#k)が算出される。
【数７】
2018152767.tif 000009
【００８５】
ただし、式（８）において、α(r)は経路ごとの重みを示す係数であり、例えば上式（５）によってＣＡＬ係数が算出される場合には、α(r)は以下のようになる。
【数８】
2018152767.tif 000010
【００８６】
同様に、例えば上式（７）によってＣＡＬ係数が算出される場合には、α(r)は以下のようになる。
【数９】
2018152767.tif 000011
【００８７】
新たな経路が生成された場合の合計品質が算出されると、この合計品質が目標品質を満たすか否かが判定される（ステップＳ４０２）。そして、合計品質が目標品質を満たさない場合（ステップＳ４０２Ｎｏ）、又はステップＳ３０４の判断の結果、選択ＴＰの隣接ＴＰの中にＬ値がＬ１のＴＰ１１０が存在しない場合には（ステップＳ３０４Ｎｏ）、Ｌ１が所定の上限値に到達しているか否かが判断される（ステップＳ３０７）。
【００８８】
Ｌ１が上限値に到達していない場合には（ステップＳ３０７Ｎｏ）、Ｌ１が１インクリメントされ（ステップＳ３０８）、選択ＴＰの隣接ＴＰの中からＬ値がＬ１のＴＰ１１０が検索される（ステップＳ３０３）。以後、上述した新たな経路を生成する処理が繰り返される（ステップＳ３０４〜Ｓ３０７）。
【００８９】
そして、選択ＴＰについて生成された経路の合計品質が目標品質を満たすか（ステップＳ４０２Ｙｅｓ）、又はＬ１が上限値に到達すると（ステップＳ３０７Ｙｅｓ）、すべてのＴＰ１１０についてデフォルト経路以外の新たな経路が生成されたか否かが判断される（ステップＳ３０９）。デフォルト経路以外の新たな経路が生成されていないＴＰ１１０がある場合には（ステップＳ３０９Ｎｏ）、該当するＴＰ１１０が１つ選択され、上記と同様に新たな経路が生成される（ステップＳ３０１〜Ｓ３０８）。一方、すべてのＴＰ１１０について新たな経路が生成された場合には（ステップＳ３０９Ｙｅｓ）、すべてのＴＰ１１０について、デフォルト経路を含む複数の経路が生成されたことになる。
【００９０】
これらの複数の経路にはそれぞれ１又は複数のリンクが含まれており、各リンクを介してＣＡＬ信号が送受信されることにより、リンクごとの校正係数が算出される。各経路の係数は、経路に含まれるリンクの校正係数の積として表されるため、経路に含まれるリンクの数が多い場合には、各リンクにおける校正係数の誤差が蓄積し、経路の係数の精度が低下する。そこで、複数の経路の係数に基づいて、例えば上式（５）、（７）により起点のＴＰ１１０と各ＴＰ１１０との間のＣＡＬ係数を算出することで、各経路の係数の誤差が相殺され、それぞれのＴＰ１１０について正確なＣＡＬ係数を算出することができる。
【００９１】
以上のように、本実施の形態によれば、ＳＩＲが所定の基準を満たすＴＰ間をリンクによって接続することにより、起点のＴＰから各ＴＰまでのデフォルト経路を生成する。その後、各ＴＰと未接続の隣接ＴＰとを接続して、デフォルト経路とは異なる新たな経路を経路すべての合計品質が目標品質を満たすまで生成する。そして、各ＴＰについて、デフォルト経路を含む複数の経路におけるＣＡＬ信号の送受信結果から、ＣＡＬ係数を算出する。このため、各経路における係数に生じている誤差が互いに相殺され、高い精度で複数の送信点間のキャリブレーションを実現することができる。また、目標品質を満たすように複数の経路が生成されるため、一定の程度のキャリブレーション精度を担保することができる。
【００９２】
なお、上記各実施の形態において説明したデフォルト経路生成処理、経路生成処理及びＣＡＬ係数を算出する処理をコンピュータが実行可能なプログラムとして記述することも可能である。この場合、このプログラムをコンピュータが読み取り可能な記録媒体に格納し、コンピュータに導入することも可能である。コンピュータが読み取り可能な記録媒体としては、例えばＣＤ−ＲＯＭ、ＤＶＤディスク、ＵＳＢメモリなどの可搬型記録媒体や、例えばフラッシュメモリなどの半導体メモリが挙げられる。
【符号の説明】
【００９３】
２０１  送信Ｉ／Ｆ部
２０２  受信Ｉ／Ｆ部
２０３  プロセッサ
２０４  メモリ
２５０  測定信号送信部
２５１  測定信号受信部
２５２  ＳＩＲ算出部
２５３  経路生成部
２５４  ＣＡＬ信号送信部
２５５  ＣＡＬ信号受信部
２５６  ＣＡＬ係数算出部
２５７  ＵＬ信号受信部
２５８  チャネル推定値補正部
２５９  ＤＬ信号送信部
【図１】
2018152767.tif 000012
【図２】
2018152767.tif 000013
【図３】
2018152767.tif 000014
【図４】
2018152767.tif 000015
【図５】
2018152767.tif 000016
【図６】
2018152767.tif 000017
【図７】
2018152767.tif 000018
【図８】
2018152767.tif 000019
【図９】
2018152767.tif 000020